(57)【要約】【課題】風量を増大させ、製造時間を短縮するファンモータを提供する。【解決手段】ファンモータ１は、ファンフレーム１０、ロータ１３、少なくとも１つの磁性部材１５及び固定子１６を備える。ファンフレーム１０は、収納空間と、収納空間の中央部に収納された軸座１０３とを有する。ロータ１３は、ハブ１３１と、ハブ１３１の外周側上に周設された複数の羽根片１３２とを有するとともに、軸座１０３に枢着される。磁性部材１５は、羽根片１３２上に配置される。固定子１６は、磁性部材１５に対応してファンフレーム１０の内側と羽根片１３２との間に配置される。ファンフレーム１０は、筐体１０２と、筐体１０２を覆う蓋体１０１とを有する。蓋体１０１は、収納空間に連通した第１の吸気側を有する。筐体１０２の側部には、第１の吸気側１０１１及び収納空間に連通した排気側１０２１が設けられている。【選択図】図２
0003173723.tif 000002
【実用新案登録請求の範囲】
【請求項１】
ファンフレーム、ロータ、少なくとも１つの磁性部材及び固定子を備えたファンモータであって、
前記ファンフレームは、収納空間と、前記収納空間の中央部に収納された軸座と、を有し、
前記ロータは、ハブと、前記ハブの外周側上に周設された複数の羽根片と、を有するとともに、前記軸座に枢着され、
前記磁性部材は、前記羽根片上に配置され、
前記固定子は、前記磁性部材に対応して前記ファンフレームの内側と前記羽根片との間に配置されることを特徴とするファンモータ。
【請求項２】
前記ファンフレームは、筐体と、前記筐体を覆う蓋体と、を有し、
前記蓋体は、前記収納空間に連通した第１の吸気側を有し、
前記筐体の側部には、前記第１の吸気側及び前記収納空間に連通した排気側が設けられていることを特徴とする請求項１に記載のファンモータ。
【請求項３】
前記筐体には、前記蓋体が取り付けられる側と反対側に第２の吸気側が設けられ、
前記第２の吸気側は、前記収納空間と、前記排気側及び前記第１の吸気側と連通されることを特徴とする請求項２に記載のファンモータ。
【請求項４】
前記固定子は、コイル群及び回路基板を有し、
前記回路基板は、前記筐体内の底側に設けられ、
前記コイル群は、前記回路基板上に周設されて前記回路基板と電気的に接続されることを特徴とする請求項２又は３に記載のファンモータ。
【請求項５】
前記羽根片は、固定端と、前記固定端から外側へ延伸された自由端と、を有し、
前記固定端は、前記ハブの周側上に固着され、
前記磁性部材は、前記羽根片の前記自由端に沿って連続的に周設されて構成され、軸方向で前記コイル群に対して電磁誘導を発生させることを特徴とする請求項４に記載のファンモータ。
【請求項６】
前記羽根片は、固定端と、前記固定端から外側へ延伸された自由端と、を有し、
前記固定端は、前記ハブの周側に固着され、
前記磁性部材は、前記羽根片の前記自由端に沿って非連続的に周設され、軸方向で前記コイル群に対して電磁誘導を発生させることを特徴とする請求項４に記載のファンモータ。
【請求項７】
前記羽根片は、固定端と、前記固定端から外側へ延伸された自由端と、を有し、
前記固定端は、前記ハブの周側に固着され、
前記磁性部材は、前記羽根片の前記自由端と前記固定端との間に連続的に周設され、軸方向で前記コイル群に対して電磁誘導を発生させることを特徴とする請求項４に記載のファンモータ。
【請求項８】
前記羽根片は、固定端と、前記固定端から外側へ延伸された自由端と、を有し、
前記固定端は、前記ハブの周側に固着され、
前記磁性部材は、前記羽根片の前記自由端と前記固定端との間に非連続的に周設され、軸方向で前記コイル群に対して電磁誘導を発生させることを特徴とする請求項４に記載のファンモータ。
【請求項９】
前記磁性部材は、磁石又は磁性粉であることを特徴とする請求項１に記載のファンモータ。
【請求項１０】
前記磁性部材は、前記羽根片と一体射出成形されることを特徴とする請求項１に記載のファンモータ。
【請求項１１】
前記磁性部材は、接着方式、嵌合方式、係合方式又は挟着方式により前記羽根片の前記自由端に取り付けられることを特徴とする請求項５に記載のファンモータ。
【請求項１２】
前記磁性部材は、接着方式、嵌合方式、係合方式又は挟着方式により前記羽根片の接続端に取り付けられることを特徴とする請求項７に記載のファンモータ。
【請求項１３】
前記磁性部材と前記羽根片とは一体射出成形されて複数の磁性羽根片が形成されることを特徴とする請求項１に記載のファンモータ。
【考案の詳細な説明】
【技術分野】
【０００１】
本考案は、ファンモータに関し、特に、風量を増大させ、製造時間を短縮するファンモータに関する。
【背景技術】
【０００２】
電子製品は小型化の傾向にあり、例えばノート型パソコンなどは厚さが徐々に薄くなってきている。また電子製品の薄型化に伴い、ファン部分も薄型化が求められている。
【０００３】
従来の薄型ファンは、筐体と、軸筒と、軸筒上に外嵌した固定子と、ロータと、を含む。ロータは、軸筒に枢着され、固定子がロータ内に収納される。そのため、ロータのハブを設計・製造する際、ハブ内に固定子を収納するために、ハブの直径幅を固定子の直径幅より大きくしなければならない。しかしこの場合、筐体の吸気口の面積が犠牲となり（即ち、吸気口の面積が縮小する）、吸気口から導入した風量が増大せず、同様に筐体の排気口から排出される風量も増大させることができない。
【０００４】
従来の薄型ファンは、風量を増強させるためにファンの回転速度を高めることが一般的であるが、これは風量を増強させることができてもその効果が理想的でなく、騒音が発生する虞もある。
【０００５】
しかしメーカは、依然として薄型ファンの薄型化を達成するとともに風量を増強させることはできない。その理由としては、設計を変えて固定子の高さを低くするために、固定子の珪素鋼板の数を減らして薄型ファンの厚さを薄くするが、珪素鋼板の数をどんなに減らしたとしても固定子は一定の高さの制限を受けるという問題がある。しかし、薄型ファンは珪素鋼板が少ない条件下では、ファンの回転速度を有効に向上させることができない。
【０００６】
上述したことから分かるように、従来のファンは以下（１）〜（３）の問題点がある。
（１）風量を増強させることができない。
（２）薄型化に限度がある。
（３）製造時間が増える。
【０００７】
そのため上述した問題点を解決することができるファンモータが求められていた。
【考案の概要】
【考案が解決しようとする課題】
【０００８】
本考案の第１の目的は、風量を増強させて製造時間を短縮するファンモータを提供することにある。
本考案の第２の目的は、薄型のファンモータを提供することにある。
本考案の第３の目的は、振動及び騒音を減らすファンモータを提供することにある。
【課題を解決するための手段】
【０００９】
上記課題を解決するために、本考案の第１の形態によれば、ファンフレーム、ロータ、少なくとも１つの磁性部材及び固定子を備えたファンモータであって、前記ファンフレームは、収納空間と、前記収納空間の中央部に収納された軸座と、を有し、前記ロータは、ハブと、前記ハブの外周側上に周設された複数の羽根片と、を有するとともに、前記軸座に枢着され、前記磁性部材は、前記羽根片上に配置され、前記固定子は、前記磁性部材に対応して前記ファンフレームの内側と前記羽根片との間に配置されることを特徴とするファンモータが提供される。
【００１０】
また、前記ファンフレームは、筐体と、前記筐体を覆う蓋体と、を有し、前記蓋体は、前記収納空間に連通した第１の吸気側を有し、前記筐体の側部には、前記第１の吸気側及び前記収納空間に連通した排気側が設けられていることが好ましい。
【００１１】
また、前記筐体には、前記蓋体が取り付けられる側と反対側に第２の吸気側が設けられ、前記第２の吸気側は、前記収納空間と、前記排気側及び前記第１の吸気側と連通されることが好ましい。
【００１２】
また、前記固定子は、コイル群及び回路基板を有し、前記回路基板は、前記筐体内の底側に設けられ、前記コイル群は、前記回路基板上に周設されて前記回路基板と電気的に接続されることが好ましい。
【００１３】
また、前記羽根片は、固定端と、前記固定端から外側へ延伸された自由端と、を有し、前記固定端は、前記ハブの周側上に固着され、前記磁性部材は、前記羽根片の前記自由端に沿って連続的に周設されて構成され、軸方向で前記コイル群に対して電磁誘導を発生させることが好ましい。
【００１４】
また、前記羽根片は、固定端と、前記固定端から外側へ延伸された自由端と、を有し、前記固定端は、前記ハブの周側に固着され、前記磁性部材は、前記羽根片の前記自由端に沿って非連続的に周設され、軸方向で前記コイル群に対して電磁誘導を発生させることが好ましい。
【００１５】
また、前記羽根片は、固定端と、前記固定端から外側へ延伸された自由端と、を有し、前記固定端は、前記ハブの周側に固着され、前記磁性部材は、前記羽根片の前記自由端と前記固定端との間に連続的に周設され、軸方向で前記コイル群に対して電磁誘導を発生させることが好ましい。
【００１６】
また、前記羽根片は、固定端と、前記固定端から外側へ延伸された自由端と、を有し、前記固定端は、前記ハブの周側に固着され、前記磁性部材は、前記羽根片の前記自由端と前記固定端との間に非連続的に周設され、軸方向で前記コイル群に対して電磁誘導を発生させることが好ましい。
【００１７】
また、前記磁性部材は、磁石又は磁性粉であることが好ましい。
【００１８】
また、前記磁性部材は、前記羽根片と一体射出成形されることが好ましい。
【００１９】
また、前記磁性部材は、接着方式、嵌合方式、係合方式又は挟着方式により前記羽根片の前記自由端に取り付けられることが好ましい。
【００２０】
また、前記磁性部材は、接着方式、嵌合方式、係合方式又は挟着方式により前記羽根片の接続端に取り付けられることが好ましい。
【００２１】
また、前記磁性部材と前記羽根片とは一体射出成形されて複数の磁性羽根片が形成されることが好ましい。
【考案の効果】
【００２２】
本考案のファンモータは、従来技術と異なり以下（１）〜（４）の効果を有する。
（１）風量が増大する。
（２）薄型化が可能。
（３）振動及び振動による騒音が低減する。
（４）羽根片の強度が高まる。
【図面の簡単な説明】
【００２３】
【図１】本考案の第１実施形態によるファンモータを示す斜視図である。
【図２】本考案の第１実施形態によるファンモータを示す分解斜視図である。
【図３】本考案の第１実施形態によるファンモータを示す組立断面図である。
【図４】本考案の第１実施形態によるファンモータを示すもう一つの分解斜視図である。
【図５】本考案の第１実施形態によるファンモータを示すもう一つの組立断面図である。
【図６】本考案の第１実施形態によるファンモータを示すもう一つの分解斜視図である。
【図７】本考案の第１実施形態によるファンモータを示すもう一つの組立断面図である。
【図８】本考案の第２実施形態によるファンモータを示す分解斜視図である。
【図９】本考案の第２実施形態によるファンモータを示す組立断面図である。
【図１０】本考案の第２実施形態によるファンモータを示すもう一つの分解斜視図である。
【図１１】本考案の第２実施形態によるファンモータを示すもう一つの組立断面図である。
【図１２】本考案の第３実施形態によるファンモータを示すもう一つの分解斜視図である。
【図１３】本考案の第３実施形態によるファンモータを示すもう一つの分解斜視図である。
【考案を実施するための形態】
【００２４】
以下、本考案の実施形態について図に基づいて説明する。なお、これによって本考案が限定されるものではない。
【００２５】
（第１実施形態）
図１及び図２を参照する。図１及び図２に示すように、本考案の第１実施形態によるファンモータ１は、少なくともファンフレーム１０、ロータ１３、少なくとも１つの磁性部材１５及び固定子１６から構成される。ファンフレーム１０は、収納空間１０５、軸座１０３、筐体１０２及び蓋体１０１を有する。蓋体１０１は、収納空間１０５に連通した第１の吸気側１０１１を有するとともに、筐体１０２の側部に排気側１０２１が設けられている。排気側１０２１は、第１の吸気側１０１１及び収納空間１０５に連通される。筐体１０２は、蓋体１０１ととともに収納空間１０５を画成する。収納空間１０５は、上述のロータ１３を収納するために用いる。
【００２６】
前述の軸座１０３は、収納空間１０５の中央部に収納され、収納空間１０５内の筐体１０２の底側中央部から軸方向で突設され、ロータ１３に枢着されている。
【００２７】
また前述のロータ１３は、ハブ１３１及び複数の羽根片１３２を有する。これら複数の羽根片１３２は、ハブ１３１の外周側に周設され、固定端１３２１と、固定端１３２１から外側へ向かって延伸された自由端１３２２と、を有する。固定端１３２１は、ハブ１３１の周側部に固着される。第１の吸気側１０１１は、ハブ１３１の直径より大きい直径を有し、吸気面積が大きいため、風量を増大させることができる。
【００２８】
図２及び図３を参照する。図２及び図３に示すように、第１実施形態の磁性部材１５は、磁石又は磁性粉であり、複数の羽根片１３２上に配置され、複数の羽根片１３２の自由端１３２２に沿って連続的に周設されているが、本考案はこの態様だけに限定されるわけではなく、ユーザの必要に応じて磁性部材１５と羽根片１３２とが一体に結合された態様に変えてもよい。
【００２９】
第１実施形態の磁性部材１５の数は、羽根片の数に合わせて設計する（図４及び図５参照）。この磁性部材１５は、羽根片１３２の自由端１３２２に沿って非連続に周設されている。言い換えると、複数の磁性部材１５は、対応した複数の羽根片１３２の自由端１３２２に一体射出成形されてもよい。
【００３０】
また、図６及び図７に示すように、前述の磁性部材１５と複数の羽根片１３２とを複数の磁性羽根片に一体射出成形したり、前述の磁性部材１５と、羽根片１３２及びハブ１３１とを一体射出成形したりして磁性ロータを形成してもよい。
【００３１】
磁性部材１５は、軸方向で固定子１６が有するコイル群１６１に対して電磁誘導を発生させ、羽根片１３２の自由端１３２２に一体成形され、複数の羽根片１３２の強度及びモータトルクを高めることができる上、羽根片１３２の揺れにより発生する振動を低減させて騒音を減らすことができる。
【００３２】
前述の磁性部材１５は、１つの部材と見なすことができる。即ち、前述の磁性部材１５は、羽根片１３２の自由端１３２２上に接着方式、嵌合方式、係合方式又は挟着方式により設けてもよい。
【００３３】
図３を参照する。図３に示すように、固定子１６は、ファンフレーム１０の内側と羽根片１３２との間に配置され、固定子１６には、磁性部材１５に対向した面に前述のコイル群１６１及び回路基板１６２が設けられている。回路基板１６２は、筐体１０２内の底側に設けられ、かつ軸座１０３に対応し、回路基板１６２上に複数の電子部品（図示せず）が挿設され、これらの電子部品（例えば、コンデンサ、ＳＣＲ、コントロールチップ、トランジスタなど）は、回路基板１６２に対向した蓋体１０１の一部の端面上に設けられ、回路基板１６２と電気的に接続される。コイル群１６１は、蓋体１０１の他の部分の回路基板１６２の端面上に巻き付けられ、回路基板１６２と電気的に接続される。
【００３４】
このため、羽根片１３２の外側（即ち、収納空間１０５内）へ固定子１６を取り付けることにより、ハブ１３１の直径幅を小さくして軸座１０３とハブ１３１との間の空間を縮小すると、それに伴い、第１の吸気側１０１１の空間が大きくなり（即ち、第１の吸気側の吸気面積が増大する）、第１の吸気側１０１１からの流体流量が増大する。
【００３５】
本考案のファンモータ１は、羽根片１３２の強度を高めて風量を有効に増強させ、モータトルクと運転の安定性を向上させることができる上、ファンの振動と、ファンの振動により発生する騒音とを低減させることができる。
【００３６】
また、本考案のファンモータ１を製造する際、固定子１６をファンフレーム１０の内側と羽根片１３２との間に配置し、必要に応じて、ユーザは軸座１０３及びハブ１３１の高さを調整して薄くし、これにより製造時間を短縮して生産の利便性を高め、コストを減らすことができる。
【００３７】
（第２実施形態）
図１、図８及び図９を参照する。図１、図８及び図９に示すように、本考案の第２実施形態による構造、連結関係及び機能は、第１実施形態と略等しいが、第１実施形態の磁性部材１５が羽根片１３２の自由端１３２２上に配置され、羽根片１３２の自由端１３２２と固定端１３２１との間に配置され、第２実施形態の磁性部材１５を、羽根片１３２の自由端１３２２と固定端１３２１との間に連続的に周設した構成により説明しているが、本考案はこの態様だけに限定されるわけではない。
【００３８】
第２実施形態の磁性部材１５の数は、複数の羽根片１３２の数に応じて変えることができる。図１０及び図１１に示すように、これらの磁性部材１５は、複数の羽根片１３２の自由端１３２２と固定端１３２１との間に、非連続的に周設されている。
【００３９】
そのため、磁性部材１５を一体成形し、羽根片１３２の自由端１３２２と固定端１３２１との間に配置することにより、これら羽根片１３２の強度を高めてモータトルクを高めるとともに、羽根片１３２が揺れることにより発生する振動及び騒音を低減させることができる。
【００４０】
また実際に実施する際、前述の磁性部材１５は、１つの部材と見なすことができる。即ち、前述の磁性部材１５は、接着方式、嵌合方式、係合方式又は挟着方式により羽根片１３２の自由端１３２２と固定端１３２１との間に設置することができる。
【００４１】
（第３実施形態）
図１２及び図１３を参照する。図１２及び図１３に示すように、本考案の第３実施形態による構造及び連結関係及びその機能は第１実施形態及び第２実施形態と略等しいが、前述の筐体１０２には、蓋体１０１が取り付けられる側と反対側に第２の吸気側１０２２が設けられている。第２の吸気側１０２２は、筐体１０２の底側の軸座１０３に隣接した箇所に設けられ、収納空間１０５が排気側１０２１及び第１の吸気側１０１１に連通されるため、流体の流入量を増大させるために用いることができる。
【００４２】
上述したことから分かるように、本考案のファンモータは従来技術と異なり以下（１）〜（４）の長所を有する。
（１）風量を増大させることができる。
（２）薄型にすることができる。
（３）振動と、振動により発生する騒音とを低減させることができる。
（４）羽根片の強度を高めることができる。
【００４３】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の特許請求の範囲は、このような変更や修正を含めて広く解釈されるべきである。
【符号の説明】
【００４４】
１        ファンモータ
１０      ファンフレーム
１３      ロータ
１５      磁性部材
１６      固定子
１０１    蓋体
１０２    筐体
１０３    軸座
１０５    収納空間
１３１    ハブ
１３２    羽根片
１６１    コイル群
１６２    回路基板
１０１１  第１の吸気側
１０２１  排気側
１０２２  第２の吸気側
１３２１  固定端
１３２２  自由端
【図１】
0003173723.tif 000003
【図２】
0003173723.tif 000004
【図３】
0003173723.tif 000005
【図４】
0003173723.tif 000006
【図５】
0003173723.tif 000007
【図６】
0003173723.tif 000008
【図７】
0003173723.tif 000009
【図８】
0003173723.tif 000010
【図９】
0003173723.tif 000011
【図１０】
0003173723.tif 000012
【図１１】
0003173723.tif 000013
【図１２】
0003173723.tif 000014
【図１３】
0003173723.tif 000015